(57)【特許請求の範囲】
【請求項１】
送信端ノードから、受信端ノードに、中継ノードＲｌから中継ノードＲｍまでのｍ  個（ｍ  は２  以上の自然数）の中継ノードを順に介して、パケットを通信し、送信端ノードが、パケット間にアイドル符号セットを含むパケット信号を送信するパケット送信状態と、警報符号セットとアイドル符号セットを含む警報信号を送信する警報送信状態とを有するパケット通信システムのパケット通信方法において、
中継ノードＲｌ〜Ｒｍは、受信異常を検知したとき警報信号を生成し、受信異常を検如しないとき受信信号を中継し、
少なくとも１  つの中継ノードＲｐ（ｐ  はｍ  −１  以下の自然数）は、制御情報を中継し又は送信する際、生成した警報信号もしくは中継した受信信号に含まれる少なくとも１  個のアイドル符号セットを、パケット通信システムの制御情報を含む制御符号セットに置換して送信し、
少なくとも１  つの中継ノードＲｑ（ｑ  はｐ  より大きくｍ  以下の自然数）は、受信信号に含まれる制御符号セットから制御情報を収得し、制御符号セットをアイドル符号セットに置換して送信し、中継ノードＲｐから中継ノードＲｑに制御情報を通信することを特徴とするパケット通信方法。
【請求項２】
送信端ノードから、受信端ノードに、中継ノードＲｌから中継ノードＲｍまでのｍ  個（ｍ  は２  以上の自然数）の中継ノードを順に介して、パケットを通信し、送信端ノードが、パケット間にアイドル符号セットを含むパケット信号を送信するパケット送信状態と、警報符号セットとアイドル符号セットを含む警報信号を送信する警報送信状態とを有し、少なくとも１  つの中継ノードＲｔ（ｔ  はｍ  以下の自然数）が、警報信号を受信したとき、当該受信信号を破棄して新たな警報信号を生成し送信するパケット通信システムのパケット通信方法において、中継ノードＲｔより上流にある少なくとも１  つの中継ノードＲｓ（ｓ  はｔ  未満の自然数）は、警報信号を受信したとき又は受信異常を検如したとき、中継用警報符号セットとアイドル符号セットを含む中継用警報信号を生成し、パケット信号を受信したとき受信信号を中継し、
少なくとも１  つの中継ノードＲｐ（ｐ  はｍ  −１  以下の自然数）は、制御情報を中継し又は送信する際、生成した警報信号もしくは中継した受信信号に含まれる少なくとも１  個のアイドル符号セットを、パケット通信システムの制御情報を含む制御符号セットに置換して送信し、
少なくとも１  つの中継ノードＲｑ（ｑ  はｐ  より大きくｍ  以下の自然数）は、受信信号に含まれる制御符号セットから制御情報を収得し、制御符号セットをアイドル符号セットに置換して送信し、中継ノードＲｐから中継ノードＲｑに制御情報を通信することを特徴とするパケット通信方法。
【請求項３】
パケット信号を、送信端ノードから受信端ノードに向けて、ｍ個（ｍは２以上の自然数）の中継ノードを介して送信するパケット通信システムに用いられるパケット通信方法であって、当該パケット通信システムを制御する制御情報が、制御符号セットとしてパケット間に挿入され、正常な受信状態の場合パケット間にアイドル符号セットが含まれるパケット信号を通信し、受信異常が検知された場合パケット間に警報符号セット及びアイドル符号セットを含む警報信号を通信するパケット通信方法において、
前記いずれかの中継ノードが警報信号を受信した際、当該警報信号を破棄することなく受信し、当該警報信号中に含まれる制御符号セットを制御情報に復号し、自ノードに対する制御情報か否かを判断し、自ノードに対する制御情報に該当しない場合、当該制御情報を制御符号セットに符号化して転送し、自ノードに対する制御情報の場合、当該制御情報に応じた処理を行うと共に当該制御符号セットをアイドル符号セットに置換する工程を具えることを特徴とするパケット通信方法。
【請求項４】
パケット信号を、送信端ノードから受信端ノードに向けて、ｍ個（ｍは２以上の自然数）の中継ノードを介して送信するパケット通信システムに用いられるパケット通信方法であって、当該パケット通信システムを制御する制御情報が、制御符号セットとしてパケット間に挿入され、正常な受信状態の場合パケット間にアイドル符号セットが含まれるパケット信号を通信し、受信異常が検知された場合パケット間に警報符号セット及びアイドル符号セットを含む警報信号を通信するパケット通信方法において、
前記中継ノードが警報信号を受信した際、当該警報信号から制御符号セットとして含まれる制御情報を取り出す工程と、
取り出された制御情報が自ノードに対する制御情報か否かを判断し、自ノードに対する制御情報に該当しない場合、当該制御情報を制御符号セットに符号化して当該警報信号中に挿入して転送し、自ノードに対する制御情報の場合、当該制御情報に応じた処理を行うと共に当該制御符号セットをアイドル符号セットに置換する工程を具えることを特徴とするパケット通信方法。
【請求項５】
パケット信号を、送信端ノードから受信端ノードに向けて、ｍ個（ｍは２以上の自然数）の中継ノードを介して送信するパケット通信システムに用いられるパケット通信方法であって、当該パケット通信システムを制御する制御情報が、制御符号セットとしてパケット間に挿入され、正常な受信状態の場合パケット間にアイドル符号セットが含まれるパケット信号を通信し、受信異常が検知された場合パケット間に警報符号セット及びアイドル符号セットを含む警報信号を通信するパケット通信方法において、
前記受信端ノードからｉ番目（ｉは１を含む正の整数）の中継ノードにおいて、警報信号を受信した際、当該警報信号の警報符号セットをアイドル符号セットに置換すると共に、一部のアイドル符号セットを中継用警報符号セットに置換して中継用警報信号として送信する工程と、
前記受信端ノードからｊ番目（ｊはｉよりも大きい正の整数）の中継ノードにおいて、前記中継用警報信号を受信した際、当該中継用警報信号の中継用警報符号セットをアイドル符号セットに置換する共に、一部のアイドル符号セットを警報符号セットに置換する工程とを具えることを特徴とするパケット通信方法。
【請求項６】
前記ｉ番目の中継ノードとｊ番目の中継ノードとの間に、警報信号を受信すると、当該受信信号を破棄して新たな警報信号を生成する中継ノードが配置されていることを特徴とする請求項５に記載のパケット通信方法。
【発明の詳細な説明】
【０００１】
【産業上の利用分野】
本発明は、送信端ノードと受信端ノードとの間に中継ノードを配置して、多段中継を行うパケット通信システムに用いられるパケット通信方法、特に、中継ノード間でパケット通信システムの制御情報を通信し、この制御情報に基づいてパケット通信システムの制御を行うパケット通信方法に関するものである。
【０００２】
【従来の技術】
送信端ノードと受信端ノードとの間にｍ個の中継ノードを配置して、多段中継を行うパケット通信システムが実用化されている。この既知のパケット通信システムでは、送信端ノードからパケット信号が送信され、全中継ノード及び受信端ノードにおいて正常な受信が行われている場合のみ、アイドル符号セットを含むパケット信号が送信端ノードから受信端ノードに到達している。一方、送信端ノードが警報信号を送信する場合、或いは受信異常を検知した中継ノードが警報信号を送信する場合、当該ノードより下流側のすべての中継ノードにおいて受信信号が破棄され、下流側に警報信号が送信されている。
【０００３】
【発明が解決しようとする課題】
従来の技術によるパケット通信システムでは、送信端ノードがパケット信号を送信し、かつ、全ての中継ノード及び受信端ノードにおいて正常に受信が行われているときには、パケット信号中に含まれるアイドル符号セットの一部をパケット通信システムの制御情報を含む制御符号セットに置換することにより、中継ノード間で制御情報を通信することが可能であった。しかし、送信端ノードもしくは中継ノードが警報信号を送信する場合、このノードより下流側のノードではあらかじめ定められた形式の警報信号のみが通信されるため、中継ノード間で制御情報を通信することができなかった。すなわち、従来の技術によるパケット通信システムでは、パケット通信システムの制御を行うために必要な制御情報の通信は、その制御情報を通信するノードの区間およびその区間より上流側で、警報信号が送信されていない場合に限られていた。このため、パケット通信システムを複数の区間に分割し各々の区間を個別に制御する（例えば区間内でのビットエラーレートの監視や伝送路故障時の経路切り替え処理等の運用保守監視を制御情報を用いて行う）場合、上流側の他の区間から警報信号が伝送されてくると、その区間の制御情報の通信ができなくなるため、独立した区間の制御が不可能であった。この間題は、大規模なパケット通信システムを構築する際の障害となってしまう。
【０００４】
本発明は、前記問題点を解消するためになされたものであって、その目的は、警報信号を通信しているか否かにかかわらず、制御情報を中継ノード間で通信することができるパケット通信方法を提供することにある。
【０００５】
【課題を解決するための手段】
本発明によるパケット通信方法は、送信端ノードから、受信端ノードに、中継ノードＲｌから中継ノードＲｍまでのｍ  個（ｍ  は２  以上の自然数）の中継ノードを順に介して、パケットを通信し、送信端ノードが、パケット間にアイドル符号セットを含むパケット信号を送信する、パケット送信状態と、警報符号セットとアイドル符号セットを含む宰報信号を送信する、警報送信状態とを有する、パケット通信システムの、パケット通信方式において、
中継ノードＲｌ〜Ｒｍが、受信異常を検知したとき、警報信号を生成し、
受信異常を検如しないとき、受信信号を中継し、
少なくとも１  つの中継ノードＲｐ（ｐ  はｍ  −１  以下の自然数）が、生成した警報信号もしくは中継した受信信号に含まれる、少なくとも１  個のアイドル符号セットを、パケット通信システムの制御情報を含む制御符号セットに置換して送信し、
少なくとも１  つの中継ノードＲｑ（ｑ  はｐ  より大きくｍ  以下の自然数〉が、受信信号に含まれる制御符号セットから制御情報を収得し、制御符号セットをアイドル符号セットに置換して送信し、中継ノードＲｐから中継ノードＲｑに制御情報を通信することを特徴とする。
【０００６】
中継ノードにおいて、正常に受信したときは、受借信号に警報符号セットを含むか否かに関わらず、受信信号を中稚する。受信異常を検知した場合には警報信号を生成し送信する。中継ノードＲｐからＲｑに向けて、制御情報を通信するために、中継ノードＲｐでは、上記の中継される受信信号もしくは生成される警報信号に含まれるアイドル符号セットの一部を、制御情報を含む制御符号セットに置換して送信する。また、中継ノードＲｑでは、受信信号に含まれる制御符号セットを検出し、この制御符号セットから制御情報を収得したのち、この制御符号セットをアイドル符号セットに戻す。
【０００７】
本発明による別のパケット通信方法は、送信端ノードから、受信端ノードに、中継ノードＲｌから中継ノードＲｍまでのｍ  個（ｍ  は２  以上の自然数）の中継ノードを順に介して、パケットを通信し、送信端ノードが、パケット間にアイドル符号セットを含むパケット信号を送信するパケット送信状態と、警報符号セットとアイドル符号セットを含む警報信号を送信する警報送信状態とを有し、少なくとも１  つの中継ノードＲｔ（ｔ  はｍ  以下の自然数）が、警報信号を受信したとき、警報信号を生成し送信するパケット通信システムのパケット通信方法において、
中継ノードＲｔより上流にある少なくとも１  つの中継ノードＲｓ（ｓ  はｔ  未満の自然数）が、警報信号を受信したとき又は受信異常を検如したとき、中継用警報符号セットとアイドル符号セットを含む中継用警報信号を生成し、パケット信号を受信したとき、受信信号を中継し、
少なくとも１  つの中継ノードＲｐ（ｐ  はｍ  −１  以下の自然数）が、生成した警報信号もしくは中継した受信信号に含まれる少なくとも１  個のアイドル符号セットを、パケット通信システムの制御情報を含む制御符号セットに置換して送信し、少なくとも１  つの中継ノードＲｑ（ｑ  はｐ  より大きくｍ  以下の自然数）が、受信信号に含まれる制御符号セットから制御情報を収得し、制御符号セットをアイドル符号セットに置換して送信し、中継ノードＲｐから中継ノードＲｑに制御情報を通信することを特徴とする。
【０００８】
【作用】
従来のパケット通信システムでは、中継ノードＲｐとＲｑの間で故障が発生していなくとも、中継ノードＲｐより上流で故障が発生した場合や送信端ノードが警報信号を送信するような場合には、制御情報を通信することができなかった。しかし、本発明を適用することにより、各中継ノードにおいて、警報信号を受信した場合にも受信信号を破棄せず中継するため、中継ノードＲｐが中継ノードＲｑに向けて制御情報を送信するとき、中継ノードＲｐまたはより上流のノードが警報信号を送信する場合にも、その制御情報は中継ノードＲｑまで伝送される。この制御情報に基づいて、パケット通信システムの制御を行うことが可能となる。
【０００９】
警報符号セットを含む警報信号を受信したとき警報信号を生成し送信する従来型の中継ノードＲｔを含むパケット通信システムにおいて、中継ノードＲｔが警報信号を受信する期間は、中継ノードＲｔが受信信号を破棄し代わりに昔報信号を生成して送信するため、中継ノードＲｔは制御情報を中継しない．そこで、中継ノードＲｔの上流の中継ノードＲｓにおいて、警報符号セットとアイドル符号セットを含む警報信号を中継ノードＲｔが警報信号を受信したと判断しない中継用警報符号セットとアイドル符号セットを含む中継用警報信号に変換する。これにより、従来型の中継ノードＲｔは、中継ノードＲｓより上流で故障が発生した場合や送信端ノードが警報信号を送信するような場合にも、警報信号を受信しないため、中継ノードＲｔの上流の中継ノードＲｐから、中継ノードＲｔの下流の中継ノードＲｑに、制御情報を通信することが可能となる。
【００１０】
【発明の実施の形態】
図１は本発明によるパケット通信方法を実施するためのパケット通信システムの実施例１の構成を示す線図である。このパケット通信システムは、送信端ノード１と、受信端ノード２と、これら送信端ノード１と受信端ノード２との間に配置した同一構成のｍ個（ｍは２  以上の整数）の中継ノードＲ１  〜Ｒｍ  とを具える。
【００１１】
初めに、図１を参照しながら、送信端ノード１の構成について説明する。送信端ノード１は、信号の伝送方向に沿って順次パケット出力部１１、送信状態出力部１２、送信信号変換部１３、及び送信部を具える。パケット出力部１１には、パケット送信状態又は警報送信状態のいずれかを示す送信状態信号を出力する送信状態出力部を接続する。送信状態出力部１４は、送信状態信号をパケット生成部に出力し、この送信状態信号は、送信端ノードがパケット送信状態であるか警報送信状態であるかを示す。送信状態信号がパケット送信状態を示すとき、パケット出力部１１はノード内パケット信号を送信信号変換部１２に出力する。また、送信信号変換部１２は、ノード内パケット信号を、パケット間にアイドル符号セットを含むパケット信号に変換して送信部１３に出力する。また、送信状態信号が警報送信状態を示す場合、パケット出力部１１はノード内パケット信号の出力を停止しノード内警報信号を出力する。そして、送信信号変換部は、ノード内警報信号を警報符号セットとアイドル符号セットとを含む警報信号に変換して、送信部１３に出力する。送信部１３は、送信信号変換部１２からのパケット信号あるいは警報信号を受信端に向けて送信する。
【００１２】
受信端ノード２は、受信部２１、受信信号変換部２２、及びパケット入力部２３から構成される。受信部２１は、受信信号を受信信号変換部２２に出力すると共に、受信異常を検知して受信異常検知信号として受信信号変換部２２に出力する。受信信号変換部２２は、受信異常検知信号が受信異常を示さず且つ受信信号に警報符号セットが含まれていない場合、受信信号をノード内パケット信号に変換して、パケット入力部２３に出力する。一方、受信異常検知信号が受信異常を示す場合又は受信信号に警報符号セットが含まれている場合、受信信号変換部２２は当該受信信号を破棄し、ノード内警報信号を生成してパケット入力部２３に出力する。この場合、パケット入力部２３は、ノード内パケット信号からパケットを収得し、ノード内警報信号から警報符号セットに含まれる警報情報を収得する。
【００１３】
次に、中継ノードの構成について説明する。図４は中継ノードの第１の実施例の構成を示すブロック線図である。中継ノードＲは、信号の伝送方向に沿って順次受信部３１、受信信号変換部３２、制御情報受信部３３、制御情報送信部３４、制御処理部３５、送信信号号変換部３６、及び送信部３７を具える。受信部３１は上述した受信端ノード１の受信部と同一の機能を有し、送信信号変換部３６及び送信部３７は上述した送信端ノード２の送信信号変換部及び送信部と同一の機能を有する。
【００１４】
受信部３１は、伝送路からの信号を受信して受信信号変換部３２に出力すると共に受信した信号から受信異常を検知し、その結果を受信異常検知信号として受信信号変換部３２に出力する。
【００１５】
受信信号変換部３２は、受信信号の符号形式をノード内信号の符号形式に変換する符号変換器３８と、受信異常検知信号に応じて受信信号とノード内警報信号とのいずれかを選択する切換回路３９と、警報符号セット及びアイドル符号セットを含む警報信号を生成するノード内警報信号生成回路４０とを有する。この受信信号変換部３２は、受信部３１から送信された受信異常検知信号が受信異常を示さない場合、符号変換器３８により受信信号をノード内パケット信号に符号変換して後段の送信信号変換部３６に出力する。従って、警報信号を受信した場合であっても、受信異常でない限り、当該受信した警報信号を出力する。一方、受信異常検知信号が受信異常を示す場合、受信異常検知信号により切換回路３９が切り換えられ、当該受信信号は破棄され、ノード内警報信号生成回路４０により生成されたノード内警報信号を制御情報受信部３３に出力する。
【００１６】
制御情報受信部３３は、制御符号セットを受信し制御情報に復号する。受信した制御情報のうち、自ノードへの制御情報（制御情報に含まれるノード識別値が予め自ノードに指定された値と一致する制御情報）を受信タイミングと共に出力する。また、自ノードへの制御情報を有する制御符号セットをアイドル符号セットに置換する。制御情報送信部３４は、送信イネーブル＝Ｔｒｕｅとなり、アイドル符号セットを受信したとき、アイドル符号セットを、制御情報を符号化した制御符号セットに置換する。制御情報処理部３５は、受信した制御情報の処理及び送信する制御情報の生成を行う。
【００１７】
送信信号変換部３６は、ノード内パケット信号を、パケット間にアイドル符号セットを含むパケット信号に変換して、送信部３７に出力する。また、送信信号変換部３６は、ノード内警報信号を警報符号セットとアイドル符号セットを含む警報信号に変換して、送信部３７に出力する．送信部３７は、送信信号変換部３６からのパケット信号あるいは警報信号を受信瑞ノード２に向けて送信する。ここで、中継ノードがパケット信号又は警報信号を正常に受信した場合の信号の流れを図５に示し、中継ノードが受信異常を検知した場合の信号の流れを図６に示す。
【００１８】
図７は、中継ノードにおける制御情報を通信する動作を示す。中継ノードＲｐ  から中継ノードＲｑ  に向けて制御情報ｘ，ｙ，．．．．．．を送信するものとする。中継ノードＲｐ  において、制御情報ｘ，ｙ，．．を生成し、制御符号セットに符号化する。そして、アイドル符号セットを制御符号セットＸ，Ｙ．．．．に置換し、中継ノードＲｑ  の識別情報を添付して送信する。下流側の中継ノードＲｉ  は、制御符号セットＸ，Ｙ．．．．を制御情報ｘ，ｙ，．．に復号化する。制御情報ｘ，ｙ，．．は自ノードの識別値とは異なるノード識別値を有するため、アイドル符号セットへの置換を行うことなく下流側に転送する。中継ノードＲｑ  においては、制御符号セットＸ，Ｙ．．．．を受信し、制御情報ｘ，ｙ，．．に復号化する。制御情報ｘ，ｙ，．．は自ノードの識別値と同一のノード識別値を有するため、制御情報ｘ，ｙ，の受信処理及びアイドル符号セットへの置換を行う。
【００１９】
図８及び図９は、上述した中継ノードＲｐ  における制御情報の生成及び中継ノードＲｑにおける符号セットの置換動作の信号波形図を示す。図８はパケット信号通信時における中継ノードＲｐ  及びＲｑ  の動作を示し、図９は警報信号通信時における中継ノードＲｐ  及びＲｑ  の動作を示す。
【００２０】
上述したように、中継ノードＲｐでは、上記の中継される受信信号もしくは生成される警報信号に含まれるアイドル符号セットの一部を、制御情報を含む制御符号セットに置換して送信する。また、中継ノードＲｑでは、受信信号に含まれる制御符号セットを検出し、この制御符号セットから制御情報を収得した後、この制御符号セットをアイドル符号セットに戻す。このパケット通信システムでは、各中継ノードは、正常に受信したときは、パケット信号と警報信号のどちらを受信した場合にも、この受信信号を破棄することなく中継を行う。従って、中継ノードＲｐが、受信信号に含まれるアイドル符号セットを制御符号セットに置換して送信した場合、その受信信号が警報信号であっても、中継ノードＲｑまで制御符号セットを中継することが可能となる。
【００２１】
次に、本発明によるパケット通信方法の第２の実施例について説明する。図１０は第２の実施例のシステム構成を示すブロック線図である。尚、実施例２のパケット通信システムの送信端ノード１及び受信端ノード２の機能並びにシステムの動作は上述した第１の実施例と同一であるので、これらの説明は省略する。また、第１の実施例で用いた構成要素と同一の構成要素は同一符号を付することにする。中継ノードは、信号の伝送方向に沿って、順次受信部３１、制御情報受信部３３、受信信号変換部３２、送信信号変換部３６、制御情報送信部３４、及び送信部３７を具え、制御情報受信部３３と制御情報送信部３４との間に制御情報処理部３５を並列に配置する。受信部３１と受信信号変換部３２は、受信端ノードの受信部と受信信号変換部と同じ機能を有する。送信信号変換部３６と送信部３７は、送信端ノード１の送信部および送信信号変換部と同じ機能を有する。従って、制御情報受信部３３、制御情報送信部３４、制御情報処理部３５の配置位置が相違する以外第１の実施例の構成と同一である。
【００２２】
制御情報受信部３３は、制御符号セットを受信して制御情報に復号する。また、全ての受信した制御情報を受信タイミングと共に出力し、受信した制御符号セットをアイドル符号セットに置換する。制御情報受信部３３は、受信した制御情報及び制御情報受信タイミングを制御情報処理部３５に出力する。そして、制御情報処理部３５は、第１の実施例と同様に、受信した制御情報のうち自ノードの値と一致するノード識別値を有する制御情報に対して受信処理を行い制御情報を生成する。受信した制御情報のうち、自ノードの値と異なるノード識別値を有する制御情報並びに生成した制御情報を制御情報送信部３４に出力する。
【００２３】
制御情報送信部３４は、送信イネーブル＝Ｔｒｕｅとなり、アイドル符号セットを受信したとき、アイドル符号セットを、制御情報が符号化された制御符号セットに置換し、送信部３７に出力する。
【００２４】
実施例２  の機能は実施例１  と同じであるが、中継ノードのブロック構成において、制御情報受信部、制御情報送信部、制御情報処理部、の３  つのブロックを除き、標準的な機能（従来と同じ）を有するものとすることができる。実施例１  では、受信信号変換部が従来用いられている標準的なものを利用できなかった。これに対して、本実施例では、受信信号変換部３２に標準的な仕様の回路を利用することが可能である。実施例１  と比較して、受信信号変換部１２の実現が容易になる一方、制御情報受信部３３、制御情報送信部３４、制御情報処理部３５の各回路が若干複雑になる。
【００２５】
次に、本発明によるパケット通信方法の第３の実施例３について説明する。図１１は、本発明のパケット通信方法を適用したパケット通信システムの一例の構成を示す。このパケット通信システムは、送信端ノード１と、ｍ個（ｍは２  以上の整数）の中継ノードＲｌ〜Ｒｍと、前記の中継ノードＲｓとＲｕとの間のｎ個（ｎは自然数）の中継ノードＲｔ−１  〜Ｒｔ−ｎと、受信端ノード２とを具える。
【００２６】
送信端ノード１及び受信端ノード２の構成及び機能は実施例１と同一である。
【００２７】
中継ノードＲｓ  、Ｒｔ−１  〜Ｒｔ−ｎ  及びＲｕ  を除く中継ノードは、実施例１  の中継ノードと同一の機能及びブロック構成を有する。中継ノードＲｓは、警報信号を受信したとき、警報符号セットをアイドル符号セットに置換する。さらに、一部のアイドル符号セットを中継用警報符号セットに置換して送信する。中継ノードＲｔ−１  〜Ｒｔ−ｎ  は、警報符号セットを含む警報信号を受信した場合、当該受信信号を破棄し、ノード内部で新たに生成した警報信号を下流側に送信する。これら中継ノードＲｔ−１  〜Ｒｔ−ｎ  は従来の中継ノードと同一の機能を有する。中継ノードＲｕは、中継用警報信号を受信したとき、中継用警報符号セットをアイドル符号セットに置換する。さらに、一部のアイドル符号セットを警報符号セットに置換して送信する。
【００２８】
図１２は中継ノードＲｓのブロック構成を示すブロック線図である。この中継ノードＲｓのブロック構成は、実施例１の中継ノードの受信信号変換部３２と制御情報受信部３３との間に警報符号セット置換部５０を配置した点以外は実施例１と同一である。この警報符号セット置換部５０は、受信した全ての警報符号セットをアイドル符号セットに置換する。また、警報信号を検知した検知期間中は、アイドル符号セットの一部を中継用警報符号セットに置換する。
【００２９】
図１３は中継ノードＲｕの構成を示すブロック線図である。この中継ノードＲｕは、実施例１  の中継ノードの制御情報送信部３４と送信信号変換部３６との間に中継用警報符号セット置換部５１を配置した点を除き実施例１と同一の構成を有する。この中継用警報符号セット置換部５１は、受信した全ての中継用警報符号セットをアイドル符号セットに置換する。また、中継用警報信号を検知した検知期間中は、アイドル符号セットの一部を警報符号セットに置換する。
【００３０】
次に、本例の動作を説明する。警報信号セットを含む警報信号を受信したとき警報信号を生成し送信する従来型の中継ノードＲｔ−１  〜Ｒｔ−ｎ  を含むパケット通信システムにおいては、中継ノードＲｔ−１  が警報信号を受信する期間中中継ノードＲｔ−１  が受信信号を破棄し代わりに警報信号を生成して送信するため、中継ノードＲｔ−１  は制御情報を中継しない。そこで、中継ノードＲｔ−１  の上流側に位置する中継ノードＲｓにおいて、警報符号セットとアイドル符号セットを含む警報信号を、中継ノードＲｔ−１  が警報信号を受信したと判断しない中継用警報符号セットとアイドル符号セットとを含む中継用警報信号に変換する。これにより、従来型の中継ノードＲｔ−１  〜Ｒｔ−ｎ  は、中継ノードＲｓより上流で故障が発生した場合や送信端ノードが警報信号を送信するような場合にも、警報信号を受信しないため、中継ノードＲｔ−１  Ｒ  ｔ−１  の上流側の中継ノードＲｐから、中継ノードＲｔ−ｎ  の下流の中継ノードＲｑに、制御情報を通信することが可能となる。
【００３１】
図１４は本発明によるパケット通信方法を実施するためのパケット通信システムの第４の実施例４システム構成を示す線図である。このパケット通信システムは、送信端ノード１と受信端ノード２との間に、ｍ個（ｍは２  以上の整数）の中継ノードＲ１  〜Ｒｍ  を具える。尚、送信端ノード１及び受信端ノード２の構成は上述した実施例と同一である。
【００３２】
中継ノードＲｔ−１  〜  Ｒｔ  −ｎ  及び受信端と隣接する中継ノードＲｍを除く中継ノードの構成を図１５に示す。これらの中継ノードは、実施例３  の中継ノードＲｓとほぼ同じブロック構成を有する。異なる点は、受信信号変換部３２が、実施例３  の場合は実施例１  の中継ノードの受信信号変換部と同一であるのに対して、実施例４  の場合は、従来型の受信信号変換部を用いことができることである。
【００３３】
中継ノードＲｔ−１  〜Ｒｔ−ｎ  の中継ノードは、実施例３  の中継ノードＲｔ−１  〜Ｒｔ−ｎ  と同一である。
【００３４】
中継ノードＲｍの構成を図１６に示す。この中継ノードは、実施例３  の中継ノードＲｕｔ  とほぼ同じブロック構成を有する。異なる点は、受信信号変換部３２が、実施例３  の場合は実施例１  の中継ノードの受信信号変換部と同一であるのに対して、実施例４  の場合は、従来型の受信信号変換部でよいことである。
【００３５】
本実施例では、実施例３  と同様、警報信号を中継用警報信号に変換する。実施例３  では中継ノードＲｓのみがこの処理を行うのに対して、本実施例では各中継ノードでこの処理を行う。これにより、受信信号変換部を従来型（警報信号を入力すると受信信号を破棄する）としても、前段の中継ノードにおいて、警報信号が中継用警報信号に変換されているため、制御情報の通信に支障を生じない。また、実施例３  では従来型の中継ノードの前段に中継ノードＲｓを配置する必要があったが、本実施例のように各中継ノードにおいて、警報信号を中継用警報信号に変換する処理を行っているため、どこの区間に挿入してもよい。従来型の受信信号変換部を利用できるため、各中継ノードの実現が容易になるとともに、従来型中継ノードをどこに配置してもよいため、システムの柔軟性が向上する。
【００３６】
【発明の効果】
従来のパケット通信システムでは、中継ノードＲｐとＲｑの間で故障が発生していなくとも、中継ノードＲｐより上流側で故障が発生した場合や送信端ノードが警報信号を送信するような場合には、制御情報を通信することができなかった。しかし、本発明を適用することにより、各中継ノードにおいて、警報信号を受信した場合であっても受信信号を破棄せず中継するため、中継ノードＲｐが中継ノードＲｑに向けて制御情報を送信するとき、中継ノードＲｐまたは一層上流側のノードが警報信号を送信する場合にも、その制御情報は中継ノードＲｑまで伝送される。この制御情報に基づいて、パケット通信システムの制御を行うことが可能となる。
【００３７】
また、警報符号セットを含む警報信号を受信したとき警報信号を生成し送信する従来型の中継ノードＲｔを含むパケット通信シス与ムにおいて、中継ノードＲｔが警報信号を受信する期間は、中継ノードＲｔが受信信号を破棄し代わりに警報信号を生成して送信するため、中継ノードＲｔは制御情報を中継しない。そこで、中継ノードＲｔの上流の中継ノードＲｓにおいて、警報符号セットとアイドル符号セットを含む警報信号を中継ノードＲｔが警報信号を受信したと判断しない中継用警報符号セットとアイドル符号セットを含む中継用警報信号に変換する。これにより、従来型の中継ノードＲｔは、中継ノードＲｓより上流で故障が発生した場合や送信端ノードが警報信号を送信するような場合にも、警報信号を受信しないため、中継ノードＲｔの上流の中継ノードＲｐから、中継ノードＲｔの下流の中継ノードＲｑに制御情報を通信することが可能となる。
【００３８】
このように、木発明によるパケット通信方法は、警報僧号を通信しているか否かにかかわらず、制御情報を中継ノード間で通信することができる優れた効果を達成することができる。
【図面の簡単な説明】
【図１】本発明によるパケット通信システムの第１の実施例を示す線図である。
【図２】送信端ノードのブロック構成図である。
【図３】受信端ノードのブロック構成図である。
【図４】中継ノードの構成を示すブロック図である。
【図５】中継ノードがパケット信号又は検出信号を正常に受信した場合の信号の流れを示す図である。
【図６】中継ノードが受信異常を検知した場合の信号の流れを示す図である。
【図７】実施例１において中継ノードの制御情報を通信する動作を示す線図である。
【図８】パケット信号通信時における中継ノードの動作を示す図である。
【図９】警報信号通信時における中継ノードの動作を示す図である。
【図１０】本発明によるパケット通信方法の第２の実施例の中継ノードのブロック図である。
【図１１】本発明によるパケット通信方法の第３の実施例の中継ノードのブロック図である。
【図１２】中継ノードＲｓ  のブロック図である。
【図１３】中継ノードＲｕ  のブロック図である。
【図１４】本発明によるパケット通信システムの第４の実施例を示す線図である。
【図１５】第４の実施例の中継ノードのブロック図である。
【図１６】第４の実施例の中継ノードのブロック図である。
【符号の説明】
１  送信端ノード
２  受信端ノード
Ｒ  中継ノード
３１  受信部
３２  受信信号変換部
３３  制御情報受信部
３４  制御情報送信部
３５  制御情報処理部
３６  送信信号変換部
３７  送信部
【図１】
0003583726.tif 000002
【図２】
0003583726.tif 000003
【図３】
0003583726.tif 000004
【図４】
0003583726.tif 000005
【図５】
0003583726.tif 000006
【図６】
0003583726.tif 000007
【図７】
0003583726.tif 000008
【図８】
0003583726.tif 000009
【図９】
0003583726.tif 000010
【図１０】
0003583726.tif 000011
【図１１】
0003583726.tif 000012
【図１２】
0003583726.tif 000013
【図１３】
0003583726.tif 000014
【図１４】
0003583726.tif 000015
【図１５】
0003583726.tif 000016
【図１６】
0003583726.tif 000017